(57)【要約】      （修正有）【課題】安全性と防塵性に優れたアダプタとプラグとから構成されるシャッター付き光コネクタを提供する。【解決手段】光コネクタプラグ１００と、それが挿入される光コネクタアダプタ２００とにより構成される光コネクタ１において、光コネクタプラグ１００には第１のロック機構によりその開口が阻止されたプラグ側シャッタ１３０が設けられると共に、光コネクタアダプタ２００には第２のロック機構によりその開口が阻止されたアダプタ側シャッタ２３０が設けられ、光コネクタプラグ１００及び光コネクタアダプタ２００単独ではプラグ側シャッタ１３０及びアダプタ側シャッタ２３０は開口しないように構成されている。【選択図】  図１
2004163691.tif 000002
【特許請求の範囲】
【請求項１】
光コネクタプラグと、それが挿入される光コネクタアダプタとにより構成される光コネクタにおいて、
前記光コネクタプラグには第１のロック機構によりその開口が阻止されたプラグ側シャッタが設けられると共に、前記光コネクタアダプタには第２のロック機構によりその開口が阻止されたアダプタ側シャッタが設けられ、前記光コネクタプラグ及び前記光コネクタアダプタ単独では前記プラグ側シャッタ及びアダプタ側シャッタは開口しないように構成され、
前記光コネクタプラグを前記光コネクタアダプタに挿入すると、第２のロック機構によるロックが解除されて前記アダプタ側シャッタが開口すると共に、第１のロック機構によるロックが解除されてプラグ側シャッタが開口し、前記光コネクタプラグを前記光コネクタアダプタから抜去すると再び前記プラグ側シャッタ及びアダプタ側シャッタがそれぞれ閉口することを特徴とするシャッタ付き光コネクタ。
【請求項２】
光コネクタプラグと、それが挿入される光コネクタアダプタとにより構成される光コネクタにおいて、前記光コネクタプラグはプラグ本体と、
前記プラグ本体の先端側に配設され、前記プラグ本体に形成された係止片によりその動きが阻止された挿抜方向にスライド可能なスライドカバーと、そして、
前記スライドカバー内に配設され、前記プラグ本体の先端側に位置する接触部によりその開口が阻止されたプラグ側シャッタと、を備え、前記光コネクタアダプタは、
前記光コネクタプラグが挿入される挿入孔を備えたアダプタ本体と、
前記挿入孔内に配設され、当該挿入孔の内壁に形成されたロック部にロックされることによりその開口が阻止されると共に、前記スライドカバーに設けられたロック解除部によりそのロックが解除されるアダプタ側シャッタと、
前記挿入孔内に設けられ、前記スライドカバーが当接してその進入を阻止する当接部と、そして、
前記係止片によりその動きが阻止された前記スライドカバーの係止状態を解除して当該スライドカバーのスライドを可能にする解除部と、を備えて構成され、
前記光コネクタプラグを前記光コネクタアダプタの挿入孔に挿入すると、前記スライドカバーに設けられた前記ロック解除部が前記アダプタ側シャッタのロックを解除し、さらに前記光コネクタプラグが前記挿入孔内を進入することにより前記アダプタ側シャッタを押し倒し、そして、前記スライドカバーは前記挿入孔内に設けられた当接部に当接してそれ以上の進入が阻止されると共に前記光コネクタアダプタに設けられた解除部が前記プラグ本体との係止状態を解除して当該プラグ本体を前記スライドカバーに対してスライド可能状態とすることにより当該プラグ本体はさらに内部側に進入可能となり、それにより前記プラグ本体の先端に位置する接触部が挿入方向へ移動して前記プラグ側シャッタを押し倒して当該プラグ側シャッタが開口するようにされたことを特徴とするシャッタ付き光コネクタ。
【請求項３】
請求項２に記載のシャッタ付き光コネクタにおいて、
前記プラグ側シャッタは、
光軸を遮る遮蔽部と、
前記スライドカバーの側壁に取着される取付部と、
前記遮蔽部から所定の取付角度を有して斜め方向に突出する凸部と、
を備えて構成され、
前記スライドカバー内に斜めに位置するように配設され、
前記プラグ本体の先端側に位置する前記接触部が前記凸部上部に接触することによってプラグ側シャッタの開口が阻止され、一方、前記スライドカバーの係止状態を解除して前記プラグ本体を前記スライドカバー内に進入させることにより前記プラグ本体の先端に位置する接触部が挿入方向へ移動して前記遮蔽部を押し倒すと共に前記凸部が前記プラグ本体の底面に長手方向に設けられた溝部内に収納されるように構成されたことを特徴とするシャッタ付き光コネクタ。
【請求項４】
請求項２又は３に記載のシャッタ付き光コネクタにおいて、前記アダプタ本体の前記挿入孔内には、前記光コネクタプラグを抜去するときに一旦前記スライドカバーの動きを停止させて保持する保持部が設けられ、前記保持部によって前記スライドカバーが保持された状態でさらに前記プラグ本体を引き抜くと、前記接触部が前記プラグ側シャッタの前記凸部上部側に位置するように移動して、これにより前記プラグ側シャッタが起き上がって閉口し、さらに前記プラグ本体を引き抜くと前記係止片が再び前記スライドカバーを係止して挿抜方向へのスライドを阻止した状態となって抜去されることを特徴とするシャッタ付き光コネクタ。
【請求項５】
請求項２〜４のいずれか１項に記載のシャッタ付き光コネクタにおいて、
前記アダプタ側シャッタには、前記光コネクタプラグを抜去する際に前記スライドカバーに設けられた接触爪が接触しながら当該アダプタ側シャッタを引き起こす突起部が設けられていることを特徴とするシャッタ付き光コネクタ。
【請求項６】
請求項２〜５のいずれか１項に記載のシャッタ付き光コネクタにおいて、
前記プラグ側シャッタは、前記光コネクタプラグのフェルールには接触しないようにされていることを特徴とするシャッタ付き光コネクタ。
【発明の詳細な説明】
【０００１】
【発明の属する技術分野】
本発明は、光コネクタに関し、さらに詳細には、光コネクタ用アダプタとプラグの双方に相互に嵌合させたときに自動的に開口し、単独では開口しないシャッタを備えたシャッタ付き光コネクタに関する。
【０００２】
【従来の技術】
近年、通信技術の発展は著しく、ＩＴ産業における企業間の競争が激化している。従来、一般の電話回線を用いて、家庭用電話と同周波数帯域でのデータ通信がおこなわれていたが、さらに高速の通信速度が要求されるようになると、より高い周波数帯域を利用したＡＤＳＬ等が出現し広く普及している。しかし、ＩＴ関連企業における現在及び将来の通信ネットワーク構想として、インターネットテレビやＩＰ電話等があり、これらのより大きなデータ通信をおこなうには、従来の電話回線を用いた通信網では対応できず、一般の電話回線を用いた通信よりも大きなデータ通信が行える光ファイバを利用した通信網が開発及び実用化され、今後急速に普及するものと予想される。
【０００３】
しかし、その反面、光ファイバで伝達される光エネルギーは大きく、その光を直視すると、眼の網膜に悪影響を及ぼし、時には失明する危険性もある。今後、このような光ファイバが一般家庭に普及した場合に、危険意識が低い子供がいじってプラグを覗き込んで光を直視する可能性もあり、どのようにして安全性を保障するかといった技術的な問題がある。
【０００４】
そこで、従来、光ファイバと他の光ファイバとを接続したり、パソコン等の電子機器とを接続するために光ファイバの端末に取付けられるコネクタにシャッタ機構を設け、伝達される光が直接外部に漏洩しない構造としたコネクタが考えられ特許出願されている。
特許文献１に記載の発明もその１つであり、受光プラグの挿抜によりシャッタの開閉が自動的に行われるシャッタ付光コネクタに関するものである。特許文献１には、放射側光ジャックと受光側プラグとがハウジングの挿入孔内で当接し光結合するコネクタにおいて、挿入孔の始端部に設けられた磁性体が固着されたガイドに、受光側光プラグに押されて始端部と終端部との間で水平方向に摺動可能にされた磁石と、始端部がガイド溝の終端部に連通し、ガイド溝と直行する垂直ガイド溝があり、当該ガイド溝にはシャッタ付磁石が上下方向に摺動可能に設けられているものである。受光側光プラグが挿入されていない場合には、磁石は始端側の磁性体側にあり、シャッタ付磁石は自重により、垂直に配設されたガイド始端側に位置し、シャッタにより、挿入孔は遮断されている。受光側光プラグを挿入すると、該受光側光プラグに押されて磁石が終端側に移動し、それに追従して磁力の反力によりシャッタ付磁石は垂直ガイド溝にそって、垂直ガイド溝の終端部に移動し、挿入孔は開通する。受光側光プラグを抜くと、該プラグに設けられた磁性体によって、磁石がガイド溝始端側まで引っ張られ、シャッタ付磁石が再び垂直ガイド溝の始端部に移動し、挿入穴を遮断し、これにより、使用者が受光側光プラグを挿抜すると、ハウジングに設けられたシャッタが自動的に開閉するシャッタ付光コネクタが開示されている。
また、特許文献２に記載の発明は、光レセプタクルを取付けるマウントと光センサを内蔵するホルダを簡易に着脱するロック機構と、光センサの受光を遮断するシャッタ機構を備える光コネクタ用アダプタである。特許文献２には、マウントとホルダが一対の爪と一対の螺旋状突起で結合され、シャッタは光レセプタクルとマウント間に移動可能に保持されており、シャッタを所定の方向に移動することにより、光ファイバの出射光を遮断または通過させ、プラグを外すことなくオフセットすることができる光コネクタ用アダプタが開示されている。
さらに、特許文献３に記載の発明は、光コネクタプラグを結合アダプタから引き抜いた状態において、光を外部に露出させない多心光コネクタに関するものである。特許文献３には、光コネクタプラグの先端部の外周部にプラグシャッタが取付けられ、プラグシャッタはコイルバネによって、非嵌合時はプラグシャッタが閉じられるように付勢されており、光軸を遮蔽している。光コネクタプラグを結合アダプタに挿入すると、プラグシャッタの上方に張り出した梁部が結合アダプタの挿入口外周部に押されることにより、プラグシャッタが開かれて光軸が開放される多心光コネクタが開示されている。
【０００５】
【特許文献１】
特開平５―０９３８２１号公報  （第２〜４頁、第１、第６，７図）
【特許文献２】
特開平８―２６２２７８号公報  （第２、３頁、第１、２図）
【特許文献３】
特開平１０―３００９８５号公報  （第２〜４頁、第１、２図）
【０００６】
しかし、特許文献１に記載の発明は、シャッタがハウジング側にしか設けられていないので、ジャックを交換する等の理由で、ジャックを取り外した場合に、作業者が光を直視してしまう恐れがあり、十分な安全性が保障されているとは言い難い。また、磁力の作用を利用した、磁石の摺動移動による開閉機構としているため、磁石を取付けるためのスペースや摺動移動のためのスペース等が必要となり、構造を小型化するのが難しい等の問題がある。
また、特許文献２に記載の発明も同様に、プラグ付き光ファイバにシャッタ機構が設けられていないので、光レセプタクルからプラグを取り外した場合に、作業者が光を直視してしまう危険性があり、十分な安全性が保障されていないという問題がある。
最後に、特許文献３に記載の発明では、機構が簡単で構造を小型にできるが、光を遮蔽するシャッタが光コネクタプラグ側にしか設けられておらず、光コネクタプラグを結合アダプタに挿入した場合に、プラグシャッタは開かれた状態となり、例えば、使用者が結合アダプタの他端側から覗いた場合に、光を直視してしまう危険性がある。また、プラグシャッタはコイルバネによって開閉可能に設けられているので、一般家庭で子供等が指でプラグシャッタを持ち上げて開くことができ、十分な安全性が保障されているとは言えない。
【０００７】
【発明が解決しようとする課題】
そこで、本発明は以上のような問題点を解決するものであり、光コネクタ用アダプタ及びプラグにそれぞれシャッタを儲け、相互に嵌合させることにより自動的に開閉するシャッタを備え、それぞれ単独ではシャッタが開閉しない機構とし、安全性と防塵性に優れたシャッタ付き光コネクタを提供することを目的とする。
【０００８】
【課題を解決するための手段】
上記課題を解決するために、請求項１に記載の発明は、光コネクタプラグと、それが挿入される光コネクタアダプタとにより構成される光コネクタにおいて、光コネクタプラグには第１のロック機構によりその開口が阻止されたプラグ側シャッタが設けられると共に、光コネクタアダプタには第２のロック機構によりその開口が阻止されたアダプタ側シャッタが設けられ、光コネクタプラグ及び光コネクタアダプタ単独ではプラグ側シャッタ及びアダプタ側シャッタは開口しないように構成され、光コネクタプラグを光コネクタアダプタに挿入すると、第２のロック機構によるロックが解除されてアダプタ側シャッタが開口すると共に、第１のロック機構によるロックが解除されてプラグ側シャッタが開口し、光コネクタプラグを光コネクタアダプタから抜去すると再び前記プラグ側シャッタ及びアダプタ側シャッタがそれぞれ閉口することを特徴とする。
【０００９】
上記課題を解決するために、請求項２に記載の発明は、光コネクタプラグと、それが挿入される光コネクタアダプタとにより構成される光コネクタにおいて、光コネクタプラグは、プラグ本体と、プラグ本体の先端側に配設され、プラグ本体に形成された係止片によりその動きが阻止された挿抜方向にスライド可能なスライドカバーと、そして、スライドカバー内に配設され、プラグ本体の先端側に位置する接触部によりその開口が阻止されたプラグ側シャッタと、を備え、光コネクタアダプタは、光コネクタプラグが挿入される挿入孔を備えたアダプタ本体と、挿入孔内に配設され、挿入孔の内壁に形成されたロック部にロックされることによりその開口が阻止されると共に、スライドカバーに設けられたロック解除部によりそのロックが解除されるアダプタ側シャッタと、挿入孔内に設けられ、スライドカバーが当接してその進入を阻止する当接部と、そして、係止片によりその動きが阻止されたスライドカバーの係止状態を解除してスライドカバーのスライドを可能にする解除部と、を備えて構成され、光コネクタプラグを光コネクタアダプタの挿入孔に挿入すると、スライドカバーに設けられたロック解除部がアダプタ側シャッタのロックを解除し、さらに光コネクタプラグが挿入孔内を進入することによりアダプタ側シャッタを押し倒し、そして、スライドカバーは挿入孔内に設けられた当接部に当接してそれ以上の進入が阻止されると共に光コネクタアダプタに設けられた解除部がプラグ本体との係止状態を解除してプラグ本体をスライドカバーに対してスライド可能状態とすることによりプラグ本体はさらに内部側に進入可能となり、それによりプラグ本体の先端に位置する接触部が挿入方向へ移動してプラグ側シャッタを押し倒してプラグ側シャッタが開口するようにされたことを特徴とする。
【００１０】
上記課題を解決するために、請求項３に記載の発明は、請求項２に記載のシャッタ付き光コネクタにおいて、プラグ側シャッタは、光軸を遮る遮蔽部と、スライドカバーの側壁に取着される取付部と、遮蔽部から所定の取付角度を有して斜め方向に突出する凸部と、を備えて構成され、スライドカバー内に斜めに位置するように配設され、プラグ本体の先端側に位置する接触部が凸部上部に接触することによってプラグ側シャッタの開口が阻止され、一方、スライドカバーの係止状態を解除してプラグ本体をスライドカバー内に進入させることによりプラグ本体の先端に位置する接触部が挿入方向へ移動して遮蔽部を押し倒すと共に凸部がプラグ本体の底面に長手方向に設けられた溝部内に収納されるように構成されたことを特徴とする。
【００１１】
上記課題を解決するために、請求項４に記載の発明は、請求項２又は３に記載のシャッタ付き光コネクタにおいて、アダプタ本体の挿入孔内には、光コネクタプラグを抜去するときに一旦スライドカバーの動きを停止させて保持する保持部が設けられ、保持部によってスライドカバーが保持された状態でさらにプラグ本体を引き抜くと、接触部がプラグ側シャッタの凸部上部側に位置するように移動して、これによりプラグ側シャッタが起き上がって閉口し、さらにプラグ本体を引き抜くと係止片が再びスライドカバーを係止して挿抜方向へのスライドを阻止した状態となって抜去されることを特徴とする。
【００１２】
上記課題を解決するために、請求項５に記載の発明は、請求項２〜４のいずれか１項に記載のシャッタ付き光コネクタにおいて、アダプタ側シャッタには、光コネクタプラグを抜去する際にスライドカバーに設けられた接触爪が接触しながらアダプタ側シャッタを引き起こす突起部が設けられていることを特徴とする。
【００１３】
上記課題を解決するために、請求項６に記載の発明は、請求項２〜５のいずれか１項に記載のシャッタ付き光コネクタにおいて、プラグ側シャッタは、光コネクタプラグのフェルールには接触しないようにされていることを特徴とする。
【発明の実施の形態】
以下、本発明に係るシャッタ付き光コネクタを図面に基づいて詳細に説明する。
図１（ａ）は本願発明に係る光アダプタとプラグの嵌合状態を表す一部断面の平面図であり、（ｂ）はその断面側面図である。
まず、本発明に係るシャッタ付き光コネクタ１は、図１に示すように光コネクタプラグ１００と、光コネクタアダプタ２００とを備えて構成されている。
【００１４】
光コネクタプラグ１００は、図２に示すように、プラグ本体１１０と、プラグ本体１１０の先端側に配設され挿抜方向にスライド可能に配設されたスライドカバー１２０と、スライドカバー１２０内に配設され、プラグ本体１１０の挿抜方向の移動に追従して、スライドカバー１２０の開口部１２６を開閉するプラグ側シャッタ１３０と、プラグ本体１１０に内設され、プラグ本体後端から導入された光ファイバ（図示しない）を挿通するフェルール３００と、フェルール３００をプラグ本体１１０の先端側に向けて押し付ける力を発生させるためのバネ３１０とを備えて構成されている。
【００１５】
プラグ本体１１０は、樹脂製であり、スライドカバー１２０を係止して挿抜方向の移動を阻止する係止片１１２と、プラグ側シャッタ１３０と接触しその開口を制限する接触部１１４と、プラグ本体１１０の底面に長手方向に設けられた溝部１１６と、図示しない光ファイバを導入してフェルール３００を包囲する中空部１１９とが形成されている。
【００１６】
スライドカバー１２０は、プラグ本体１１０の先端側に設けられ、プラグ本体に対して挿抜方向に移動可能に構成された樹脂製の断面が略四角形の中空部材である。
【００１７】
図９に示すように、スライドカバー１２０は、光コネクタアダプタ２００に挿入したときに、アダプタ側シャッタ２３０のロック機構を解除するロック解除片１２２と、完全に嵌合状態にある光コネクタプラグ１００を抜去したときに、倒れて開口状態にあるアダプタ側シャッタ２３０の突起部２３６と接触してアダプタ側シャッタ２３０を引き起こすための接触爪１２４と、プラグ側シャッタ１３０により開口される開口部１２６と、プラグ本体１１０の係止片１１２と係合してプラグ本体１１０を係止する係止穴１２８とを備えて構成されている。
【００１８】
図８に示すように、プラグ側シャッタ１３０は、樹脂製又は金属製の略板状の部材であり、フェルール３００に内装された図示しない光ファイバの光軸を遮蔽する遮蔽部１３２と、スライドカバー１２０の側壁に取着される取付部１３４と、遮蔽部１３２から所定の取付角度を有して斜め方向に突出する凸部１３６とを備えて構成されている。尚、本実施例では、プラグ側シャッタ１３０の開閉は、接触部１１４との接触によりおこなっているが、プラグ側シャッタ１３０の取付部１３４とスライドカバー１２０との間にコイルバネ等の弾性部材を設けて、常に閉口する（遮蔽部１３２が起き上がる）方向に力を発生させることで、プラグ側シャッタ１３０の閉口を確実に行えるようにすることもできる。
【００１９】
取付部１３４は、スライドカバー１２０の側壁に回転可能に取付けられ、プラグ側シャッタ１３０は、プラグ本体１１０の挿抜方向の移動に追従して回転し、開口部１２６を遮蔽するように構成されている。
【００２０】
バネ３１０は、金属製のバネ部材であり、プラグ本体１１０の中空部１１９に配設され、フェルール３００をプラグ本体１１０の先端側に押し当てるように構成されている。
【００２１】
以上に説明した構造を有することにより、プラグ側シャッタ１３０が単独の状態では、プラグ本体１１０の接触部１１４がプラグ側シャッタ１３０の凸部１３６と接触しているので、プラグ側シャッタ１３０が図８に示すＧ方向に倒れて開口することはない。また、プラグ側シャッタ１３０を外側から押した場合に、プラグ側シャッタ１３０がプラグ本体１１０側（図８に示すＧ方向と逆方向）に倒れようとすると、プラグ側シャッタ１３０の遮蔽部１３２の上端側がスライドカバー１２０の内側上面に当接して、プラグ側シャッタ１３０が倒れるのを阻止するので、フェルール３００に接触して傷付けることはない。
また、プラグ側シャッタ１３０は、プラグ本体１１０に設けられた係止片１１２を押圧して図８に示すＣ方向に変位させて、係止片１１２とスライドカバー１２０に設けられた係止穴１２８との係止状態を解除し、そして、プラグ本体１１０を挿方向（図８に示すＡ方向）に移動させて、プラグ本体１１０に設けられた接触部１１４がプラグ側シャッタ１３０の遮蔽部１３２を押し倒すことによって、図示しない光ファイバの光軸が開口する構造としたため、通常、光コネクタプラグ１００が単独の状態では、使用者はプラグ側シャッタ１３０を開口することができない。
【００２２】
光コネクタアダプタ２００は、図３に示すように、アダプタ本体２１０と、アダプタ本体２１０内に配設されたアダプタ側シャッタ２３０と、割りスリーブ２５０とを備えて構成されている。
【００２３】
アダプタ本体２１０は、樹脂製で中空の略四角柱形状を有し、光コネクタプラグを抜去するときに一旦スライドカバー１２０の動きを停止させてその状態で保持する保持部２１１と、光コネクタプラグ１００が挿入される挿入孔２１２と、挿入孔２１２の内壁に形成され、アダプタ側シャッタ２３０が開口しないようにロックするためのロック部２１４と、光コネクタプラグ１００が挿入されたときに先端側のスライドカバー１２０が当接してその進入を阻止する当接部２１６と、光コネクタプラグと光コネクタアダプタが嵌合したときに係止片１１２を収容する溝部２１７と、光コネクタプラグ１００の挿入が開始されたときに、係止片１１２を内側に押圧してプラグ本体１１０とスライドカバー１２０との係止状態を解除する解除部２１８と、光コネクタプラグ１００と光コネクタアダプタとが完全に嵌合したときに、光コネクタプラグ１００に包囲されたフェルール３００が挿通するスリーブ２１９とを備えて構成されている。
【００２４】
アダプタ側シャッタ２３０は、樹脂製又は金属製の略板状の部材であり、図７に示すように、光コネクタプラグ１００から発せられた光を遮蔽する遮蔽部２３２と、アダプタ本体２１０の側壁に取着された取付部２３４と、光コネクタプラグ１００を抜去する際にスライドカバー１２０に設けられた接触爪１２４が接触しながらアダプタ側シャッタ２３０を引き起こす突起部２３６とを備えて構成されている。尚、本実施例では、アダプタ側シャッタ２３０の閉口は、スライドカバー１２０に設けられた接触爪１２４との接触によりおこなっているが、アダプタ側シャッタ２３０の取付部２３４とアダプタ本体２１０との間にコイルバネ等の弾性部材を設けて、常に閉口する（遮蔽部２３２が起き上がる）方向に力を発生させることで、アダプタ側シャッタ２３０の閉口を確実に行えるようにすることもできる。
【００２５】
取付部２３４は、アダプタ本体２１０の側壁に回転可能に取付けられ、アダプタ側シャッタ２３０は、光コネクタプラグ１００が挿入されたときに、ロック解除部２１４が解除され挿通孔２１２を開口するように構成されている。
【００２６】
割りスリーブ２５０は、樹脂製又は金属製の略中空円筒状の部材であり、スリーブ２１９に収容されて、光コネクタプラグ１００と完全に嵌合したときに、プラグ本体１１０に設けられているフェルール３００が挿通されるように設けられている。
【００２７】
以上に説明した構造を有することにより、アダプタ側シャッタ２３０が単独の状態では、アダプタ側シャッタ２３０に設けられた突起部２３６により、アダプタ側シャッタ２３０は外側には倒れない。また、遮蔽状態ではアダプタ側シャッタ２３０の遮蔽部２３２の上端側とアダプタ本体２１０に設けられたロック部２１４とが接触しているので、遮蔽部２３２が図７に示すＤ方向に倒れるような力を加えたとしても、アダプタ側シャッタ２３０が内側に倒れるのを阻止する。
また、アダプタ側シャッタ２３０は、アダプタ本体２１０に設けられたロック部２１４を図７に示すＢ方向に変位させて、ロック部２１４とアダプタ側シャッタ２３０の遮蔽部２３２との係止状態を解除し、遮蔽部２３２を図７に示すＤ方向に押し倒すことにより開口する構造としたため、通常、光コネクタアダプタ２００が単独の状態では、使用者はアダプタ側シャッタ２３０を開口することができない。
【００２８】
次に、本発明に係る光コネクタプラグと光コネクタアダプタとの嵌合から抜去までの手順を図１、図４〜８に基づいて説明する。
図４は光コネクタプラグ１００を光コネクタアダプタ２００へ挿入した嵌合初期段階を表す図である。まず、光コネクタプラグ１００を光コネクタアダプタ２００に挿入すると、図４（ａ）、（ｂ）及び図７に示すようにスライドカバー１２０に設けられたロック解除部１２２がアダプタ本体２１０に設けられているロック部２１４を図４又は図７に示すＢ方向に押し上げ、アダプタ側シャッタ２３０のロック状態を解除する。そして、進入してきたスライドカバー１２０先端側下縁により、アダプタ側シャッタ２３０は図４又は図７のＤ方向に押し倒され、挿入孔２１２は開口する。図５は、光コネクタプラグをさらに進入させた嵌合中期状態を表す図である。スライドカバー１２０は、アダプタ本体２１０の挿入孔２１２内に設けられた当接部２１６に当接し、スライドカバー１２０はそれ以上の進入を阻止される。一方、プラグ本体１１０とスライドカバー１２０とを係止し、プラグ本体１１０の挿抜方向の移動を阻止するように形成された係止片１１２がアダプタ本体２１０に形成された解除部２１８に押圧され、図５（ａ）又は図８に示すＣ方向に変位する。これにより、プラグ本体１１０とスライドカバー１２０との係止状態が解除され、プラグ本体１１０は、図５又は図８に示すＡ方向に移動可能となり、プラグ本体１１０の接触部１１４がプラグ側シャッタ１３０を図５（ｂ）又は図８に示すＧ方向に押し倒し、フェルール３００を包囲したプラグ本体１１０はアダプタ本体２１０内にさらに進入し、図１に示すように係止片１１２はアダプタ本体２１０内に内設されている溝部２１７に係合すると共に、フェルール３００がアダプタ本体２１０のスリーブ２１９内に挿通され、完全な嵌合状態となる。
次に、光コネクタプラグ１００を光コネクタアダプタ２００から引き抜く場合には、以上の説明と逆の手順となるが、図６及び図７に示すように、プラグ本体１１０を引き抜くと、スライドカバー１２０に設けられたロック解除部１２２がアダプタ本体に内設された保持部２１１により保持され一旦移動が停止する。プラグ本体１１０をさらに引き抜くと、プラグ本体１１０に設けられた接触部１１４がプラグ側シャッタ１３０に設けられた凸部１３６を押し倒すことにより、プラグ側シャッタ１３０を引き上げると共に、係止片１１２と係止穴１２８とが係止する。その後、押し倒されているアダプタ側シャッタ２３０の突起部２３６がスライドカバー１２０に設けられている接触爪１２４によって図７に示すＥからＦ方向に引き倒され、遮蔽部２３２により挿入孔２１２は遮蔽され、図示しない光ファイバの光が漏洩することなく引き抜くことができ、使用者は間違って光を直視することなく安全に作業をすることができる。
【発明の効果】
以上、説明したように、本発明に係るシャッタ付光コネクタによれば、光コネクタプラグと光コネクタアダプタの双方にシャッタを設けると共に、それぞれを嵌合させたときに初めてそれぞれのシャッタの開口をすることができる構造としたため、無理にシャッタを明けようとしても開口しないため、安全性が高いという効果がある。
【００２９】
また、シャッタの開閉機構を光コネクタプラグと光コネクタアダプタの嵌合構造を利用した機構としたので、光コネクタが小型化できるという効果がある。
【００３０】
【図面の簡単な説明】
【図１】（ａ）は本願発明に係る光コネクタプラグと光コネクタアダプタとの嵌合状態を表す一部断面の平面図である。（ｂ）はその断面側面図である。
【図２】（ａ）は本願発明に係る光コネクタプラグと光コネクタアダプタとの一部断面で表す平面図である。（ｂ）はその断面側面図である。
【図３】（ａ）は本願発明に係る光コネクタプラグと光コネクタアダプタとの一部断面で表す平面図である。（ｂ）はその断面側面図である。
【図４】（ａ）は本願発明に係る光コネクタプラグと光コネクタアダプタとの挿入時の嵌合状態を表す一部断面の平面図である。（ｂ）はその断面側面図である。
【図５】（ａ）は本願発明に係る光コネクタプラグと光コネクタアダプタとの挿入時の嵌合状態を表す一部断面の平面図である。（ｂ）はその断面側面図である。
【図６】（ａ）は本願発明に係る光コネクタプラグと光コネクタアダプタとの抜去時の嵌合状態を表す一部断面の平面図である。（ｂ）はその断面側面図である。
【図７】本願発明に係るアダプタ側シャッタを表す概略斜視図である。
【図８】本願発明に係るプラグ側シャッタの開閉機構を表す概略斜視図である。
【図９】本願発明に係るスライドカバー１２０の概略斜視図である。
【符号の説明】
１  シャッタ付き光コネクタ
１００  光コネクタプラグ
１１０  プラグ本体
１１２  係止片
１１４  接触部
１１６  溝部
１１９  中空部
１２０  スライドカバー
１２２  ロック解除片
１２４  接触爪
１２６  開口部
１２８  係止穴
１３０  プラグ側シャッタ
１３２  遮蔽部
１３４  取付部
１３６  凸部
２００  光コネクタアダプタ
２１０  アダプタ本体
２１１  保持部
２１２  挿入孔
２１４  ロック部
２１６  当接部
２１７  溝部
２１８  解除部
２１９  スリーブ
２３０  アダプタ側シャッタ
２３２  遮蔽部
２３４  取付部
２３６  突起部
２５０  割りスリーブ
３００  フェルール
３１０  バネ
【図１】
2004163691.tif 000003
【図２】
2004163691.tif 000004
【図３】
2004163691.tif 000005
【図４】
2004163691.tif 000006
【図５】
2004163691.tif 000007
【図６】
2004163691.tif 000008
【図７】
2004163691.tif 000009
【図８】
2004163691.tif 000010
【図９】
2004163691.tif 000011